(57)【要約】【課題】発光ダイオードを備えた照明灯において、照明灯に不点灯が生じた際に、使用者が容易に故障箇所を認識できるようにすること。【解決手段】本照明灯は、安定器に接続可能な、発光ダイオードを備えた照明灯であって、前記安定器の出力電圧を検知する電圧検知部と、前記安定器から流れる電流を検知する電流検知部と、前記電圧検知部の検知結果を出力する第１の検知結果出力部と、前記電流検知部の検知結果を出力する第２の検知結果出力部と、を有し、前記電圧検知部は、前記安定器の出力電圧を分圧する分圧回路を含み、前記分圧回路で分圧された電圧は、前記第１の検知結果出力部に印加される。【選択図】図４
2017033674.tif 000002
【特許請求の範囲】
【請求項１】
安定器に接続可能な、発光ダイオードを備えた照明灯であって、
前記安定器の出力電圧を検知する電圧検知部と、
前記安定器から流れる電流を検知する電流検知部と、
前記電圧検知部の検知結果を出力する第１の検知結果出力部と、
前記電流検知部の検知結果を出力する第２の検知結果出力部と、を有し、
前記電圧検知部は、前記安定器の出力電圧を分圧する分圧回路を含み、
前記分圧回路で分圧された電圧は、前記第１の検知結果出力部に印加されることを特徴とする照明灯。
【請求項２】
前記電流検知部は、１次側コイル及び２次側コイルを備え、
前記１次側コイルは、前記安定器の出力電圧が印加される配線に直列に挿入され、
前記２次側コイルは、前記１次側コイルに流れた電流に基づいた電圧を生成し、
前記２次側コイルで生成された電圧は、前記第２の検知結果出力部に印加されることを特徴とする請求項１に記載の照明灯。
【請求項３】
前記第１の検知結果出力部は第１の発光素子であり、前記第２の検知結果出力部は第２の発光素子であることを特徴とする請求項１又は２に記載の照明灯。
【請求項４】
前記安定器から出力される交流電圧を整流し、整流後の電圧を前記発光ダイオードに供給する整流回路を有し、
前記電圧検知部及び前記電流検知部は、前記整流回路よりも前段に設けられていることを特徴とする請求項１乃至３の何れか一項に記載の照明灯。
【請求項５】
請求項１乃至４の何れか一項に記載の照明灯と、
前記照明灯を装着する灯具と、を備えていることを特徴とする照明装置。
【請求項６】
安定器に接続可能な、発光ダイオードを備えた照明灯に用いられる点灯制御回路であって、
前記安定器の出力電圧を検知する電圧検知部と、
前記安定器から流れる電流を検知する電流検知部と、
前記電圧検知部の検知結果を出力する第１の検知結果出力部と、
前記電流検知部の検知結果を出力する第２の検知結果出力部と、を有し、
前記電圧検知部は、前記安定器の出力電圧を分圧する分圧回路を含み、
前記分圧回路で分圧された電圧は、前記第１の検知結果出力部に印加されることを特徴とする点灯制御回路。
【発明の詳細な説明】
【技術分野】
【０００１】
本発明は、照明灯、照明装置、及び点灯制御回路に関する。
【背景技術】
【０００２】
近年、低消費電力や長寿命等の特長を有する発光ダイオード（Light Emitting Diode、ＬＥＤ）を用いた照明灯（以降、ＬＥＤ照明灯とする場合がある）が注目されている。蛍光灯インバータ安定器、商用交流電源、蛍光灯グロー安定器、又は蛍光灯ラピッド安定器の出力を入力とするＬＥＤ照明灯もそのうちの１つであり、従来の蛍光灯と置き換えて用いることができる。
【０００３】
ところで、上記のような照明装置において、ＬＥＤ照明灯が故障したり、ＬＥＤ照明灯を接続した安定器が故障したりすると、ＬＥＤ照明灯が不点灯となるが、ＬＥＤ照明灯の使用者は、ＬＥＤ照明灯が故障したのか、安定器が故障したのかを容易に認識できない。認識するためには、例えば、不点灯になったＬＥＤ照明灯を正常点灯している安定器に装着して点灯確認を行う等の煩雑な作業が必要であった。
【０００４】
このような判断を簡略化するために、道路の照明灯に関して、照明灯の不点灯時に障害部位を特定する手法が提案されている（例えば、特許文献１参照）。
【発明の概要】
【発明が解決しようとする課題】
【０００５】
しかしながら、上記の手法では、照明灯に不点灯が生じた際に、使用者が容易に故障箇所を認識することができないという問題があった。例えば、照明灯が短絡故障して過電流が流れた場合には、照明灯の故障を認識することができない。従って、上記の手法をＬＥＤ照明灯と安定器に応用した場合、ＬＥＤ照明灯の短絡故障を容易に認識することができない。
【０００６】
この場合、使用者は、ＬＥＤ照明灯が故障していないと誤って認識し、実際は故障しているＬＥＤ照明灯を、故障しているとは知らずに他の安定器に装着するおそれがあり、安定器に過負荷のダメージを与え２次被害に至ること等も考えられる。
【０００７】
本発明は、上記の点に鑑みてなされたものであり、発光ダイオードを備えた照明灯において、照明灯に不点灯が生じた際に、使用者が容易に故障箇所を認識できるようにすることを課題とする。
【課題を解決するための手段】
【０００８】
本照明灯は、安定器に接続可能な、発光ダイオードを備えた照明灯であって、前記安定器の出力電圧を検知する電圧検知部と、前記安定器から流れる電流を検知する電流検知部と、前記電圧検知部の検知結果を出力する第１の検知結果出力部と、前記電流検知部の検知結果を出力する第２の検知結果出力部と、を有し、前記電圧検知部は、前記安定器の出力電圧を分圧する分圧回路を含み、前記分圧回路で分圧された電圧は、前記第１の検知結果出力部に印加されることを要件とする。
【発明の効果】
【０００９】
開示の技術によれば、発光ダイオードを備えた照明灯において、照明灯に不点灯が生じた際に、使用者が容易に故障箇所を認識できる。
【図面の簡単な説明】
【００１０】
【図１】第１の実施の形態に係る照明装置の外観を例示する斜視図である。
【図２】第１の実施の形態に係る照明灯を例示する横断面図である。
【図３】第１の実施の形態に係る照明灯の回路ブロックを例示する図である。
【図４】第１の実施の形態に係る電流電圧検出回路を例示する図である。
【図５】第２の実施の形態に係る電流電圧検出回路を例示する図である。
【発明を実施するための形態】
【００１１】
以下、図面を参照して発明を実施するための形態について説明する。各図面において、同一構成部分には同一符号を付し、重複した説明を省略する場合がある。
【００１２】
〈第１の実施の形態〉
図１は、第１の実施の形態に係る照明装置の外観を例示する斜視図である。図１を参照するに、照明装置１は、照明灯２と、照明灯２を着脱可能に装着する灯具５とを有する。
【００１３】
照明灯２は、透光部２０と、口金２１及び２２とを有する。透光部２０は、内蔵された光源（後述のＬＥＤモジュール２７）から出射された光を透過する樹脂製やガラス製等の部材からなり、一端部に設けられた口金２１及び他端部に設けられた口金２２により封止されている。透光部２０は、例えば、直管形とすることができる。
【００１４】
口金２１（第１の口金）は、一対の凸型の端子２１１及び２１２を備えている。同様に、口金２２（第２の口金）は、一対の凸型の端子２２１及び２２２を備えている。但し、端子の一部は図１では図示されていない（後述の図３参照）。なお、透光部２０の内部には、電気回路が設けられている（後述の図３参照）。
【００１５】
灯具５は、蛍光灯安定器５０（図３参照）と、照明灯２を着脱可能に装着する一対のソケット５１及び５２とを有し、商用交流電源と接続可能に構成されている。商用交流電源の周波数は、例えば、５０Ｈｚや６０Ｈｚである。商用交流電源からの電力は、蛍光灯安定器５０に供給される。
【００１６】
蛍光灯安定器５０は、例えば、周知の蛍光灯グロー安定器、蛍光灯ラピッド安定器、蛍光灯インバータ安定器等である。但し、後述のように、照明灯２は商用交流電源と直結可能に構成されており、その場合には蛍光灯安定器５０は不要となる。このように、照明灯２は、蛍光灯グロー安定器、蛍光灯ラピッド安定器、蛍光灯インバータ安定器、及び商用交流電源の何れとも接続可能に構成することができる。
【００１７】
ソケット５１は、凹型の端子５１１及び５１２を備えている。同様に、ソケット５２は、凹型の端子５２１及び５２２を備えている。但し、端子の一部は図１では図示されていない（後述の図３参照）。
【００１８】
照明灯２の口金２１の端子２１１及び２１２は、灯具５のソケット５１の端子５１１及び５１２に差し込まれて嵌合し、電気的に接続される。同様に、照明灯２の口金２２の端子２２１及び２２２は、灯具５のソケット５２の端子５２１及び５２２に差し込まれて嵌合し、電気的に接続される。
【００１９】
図２は、第１の実施の形態に係る照明灯を例示する横断面図である。図２に示すように、照明灯２において、円筒形の透光部２０の内部には、フレーム４１０が固定されている。フレーム４１０の一方側には、ＬＥＤモジュール２７が実装されたＬＥＤ基板４２０が着脱可能に装着されている。又、フレーム４１０の他方側にはホルダ４３０が設けられ、ホルダ４３０には整流回路２４及び２５等が実装されたＤＲＶ基板４４０が着脱可能に装着されている。
【００２０】
フレーム４１０及びホルダ４３０は、長手方向において略同一の断面形状とされており、透光部２０の端部側から長手方向にスライドさせることで、透光部２０の内部に挿入可能に構成されている。同様に、ＬＥＤ基板４２０とＤＲＶ基板４４０は、長手方向において略同一の断面形状とされており、透光部２０の端部側から長手方向にスライドさせることで、透光部２０の内部に挿入可能に構成されている。
【００２１】
ＬＥＤ基板４２０とＤＲＶ基板４４０との間にホルダ４３０を設けることにより、ＤＲＶ基板４４０の熱がＬＥＤ基板４２０に伝わり難くなり、ＬＥＤモジュール２７に与える熱の影響が全てのＬＥＤで略均一になる。このため、時間の経過と共に部分的にＬＥＤの寿命が短くなる不都合を防止できる。
【００２２】
このように、照明灯２の形状は直管形の蛍光灯と類似しており、灯具５に取り付けられる既存の蛍光灯と容易に交換可能である。但し、照明灯２の形状は、蛍光灯と類似していなくても構わない。例えば、透光部２０の断面形状が円筒形でなく半円筒形等であってもよい。
【００２３】
図３は、第１の実施の形態に係る照明灯の回路ブロックを例示する図である。図３を参照するに、照明灯２は、主要部として、口金２１及び２２と、整流回路２４及び２５と、ＬＥＤモジュール２７と、電流電圧検出回路３０とを有する。なお、照明灯２は、必要に応じて、これ以外の回路を適宜備えることができる。これ以外の回路の一例としては、ＥＭＩ対策用のフィルタ回路やドライブ回路等を挙げることができる。
【００２４】
整流回路２４及び２５は、口金２１及び２２から入力される交流電圧を整流する回路である。整流回路２４及び２５は、例えば、逆回復時間が短い所謂ファーストリカバリダイオード等を用いて構成されたブリッジ型全波整流回路である。整流回路２４及び２５により整流された整流後の電圧は、正側配線４１及び負側配線４２に出力され、ＬＥＤモジュール２７に供給される。
【００２５】
ＬＥＤモジュール２７は、複数の発光ダイオード２７１が正側配線４１と負側配線４２との間に直列に接続された直列接続部（図３では６個の発光ダイオード２７１を直列に接続）を複数個有している。そして、各直列接続部は、複数列並列に接続されている。正側配線４１と負側配線４２との間の電圧が、直列接続部を構成する複数の発光ダイオード２７１の順方向電圧の総和を超えると、各発光ダイオード２７１に電流が流れて発光する。
【００２６】
整流回路２４及び２５とＬＥＤモジュール２７との間にドライブ回路を挿入してもよい。ドライブ回路はＬＥＤモジュール２７を駆動する回路であり、例えば、昇降圧回路や定電流回路等を含む構成とすることができる。ドライブ回路を設けることで、整流回路２４及び２５から供給される電圧が変動してもＬＥＤモジュール２７に定格を超えない適正な電流を供給することが可能となり、ＬＥＤモジュール２７の故障を防止すると共に省電力を実現できる。
【００２７】
なお、照明灯２は、蛍光灯グロー安定器、蛍光灯ラピッド安定器、蛍光灯インバータ安定器、及び商用交流電源の何れの電力供給部とも接続できるが、接続される対象により使用する回路を選択可能に構成されている。
【００２８】
図４は、第１の実施の形態に係る電流電圧検出回路を例示する図である。図４を参照するに、電流電圧検出回路３０は、電圧検知部３１と、電流検知部３２と、第１の検知結果出力部であるＤ３３と、第２の検知結果出力部であるＤ３４とを有する。電流電圧検出回路３０は、整流回路２４及び２５の前段に設けられ、整流回路２４及び２５と共に点灯制御回路の一部を構成している。
【００２９】
電圧検知部３１は蛍光灯安定器５０の出力電圧を検知する機能を有し、電流検知部３２は蛍光灯安定器５０から流れる電流を検知する機能を有する。又、第１の検知結果出力部であるＤ３３は電圧検知部３１の検知結果を出力する機能を有し、第２の検知結果出力部であるＤ３４は電流検知部３２の検知結果を出力する機能を有する。なお、Ｄ３３及びＤ３４は、照明灯２の外部から視認可能な位置に配置される。
【００３０】
電圧検知部３１は、口金２１の２端子の内の何れか一方と、口金２２の２端子の内の何れか一方との間に挿入される。照明灯２は様々な電力供給部と接続可能であるが、電力供給部が蛍光灯グロー安定器、蛍光灯ラピッド安定器、又は蛍光灯インバータ安定器の場合には４線出力となっており、口金２１の２端子及び口金２２の２端子の何れからも電圧が出力される。
【００３１】
これに対して、電力供給部が商用交流電源である場合（商用交流電源と直結される場合）には２線出力となっており、口金２１の２端子の内の何れか一方と、口金２２の２端子の内の何れか一方が入力端子として指定される。従って、商用交流電源と直結される場合に指定される入力端子間に電圧検知部３１が挿入される。これにより、照明灯２が何れの電力供給部と接続された場合にも、電圧検知部３１が機能することができる。
【００３２】
本実施の形態では、一例として、口金２１の端子２１１と口金２２の端子２２２との間に電圧検知部３１が挿入されている。つまり、本実施の形態では、商用交流電源と直結される場合に指定される入力端子は、口金２１の端子２１１と口金２２の端子２２２である。
【００３３】
電圧検知部３１において、口金２１の端子２１１と口金２２の端子２２２との間には、Ｄ３１１（ダイオード）と、Ｒ３１１（抵抗）と、Ｒ３１２（抵抗）とが直列に接続されている。これらは分圧回路を構成しており、Ｒ３１１とＲ３１２との接続部に、Ｒ３１１とＲ３１２の分圧比に応じた電圧が発生する。
【００３４】
Ｒ３１２にはＣ３１１（コンデンサ）が並列に接続されており、Ｒ３１１とＲ３１２との接続部の電圧を安定化（平滑）している。Ｃ３１１により安定化されたＲ３１１とＲ３１２との接続部の電圧は、Ｒ３１３（抵抗）を介して第１の検知結果出力部であるＤ３３（発光ダイオード等の発光素子）に入力される。Ｒ３１１とＲ３１２との接続部に所定値以上の電圧が発生していれば、Ｒ３１３を介してＤ３３に電流が流れ、Ｄ３３が点灯する。
【００３５】
電流検知部３２は、口金２１の２端子の内の何れか一方のライン、又は口金２２の２端子の内の何れか一方のラインに挿入される。これらは、商用交流電源と直結される場合に指定される入力端子に接続されるラインである。
【００３６】
前述のように、本実施の形態では、商用交流電源と直結される場合に指定される入力端子は、口金２１の端子２１１と口金２２の端子２２２である。そのため、一例として、口金２１の端子２１１と整流回路２４との間のラインに電流検知部３２が挿入されている。但し、口金２２の端子２２２と整流回路２５との間のラインに電流検知部３２が挿入されてもよい。
【００３７】
より詳しく説明すると、電流検知部３２において、Ｌ３２１（コイル）の１次側コイルが口金２１の端子２１１と整流回路２４との間のラインに挿入されている。そして、Ｌ３２１の２次側コイルの一端と他端との間には、Ｄ３２１（ダイオード）、Ｒ３２１（抵抗）、及び第２の検知結果出力部であるＤ３４（発光ダイオード等の発光素子）が直列に接続されている。
【００３８】
Ｌ３２１の１次側コイルに電流が流れると、Ｌ３２１の１次側コイルと２次側コイルとの巻線比に応じた電圧が２次側コイルに生成される。Ｌ３２１の２次側コイルに生成された電圧により、Ｄ３２１及びＲ３２１を介してＤ３４に電流が流れ、Ｄ３４が点灯する。なお、Ｄ３４が点滅する場合には、Ｄ３４にコンデンサを並列に接続することで連続点灯させることができる。
【００３９】
次に、Ｄ３３及びＤ３４がどのようなときに点灯し、どのようなときに消灯するかについて説明する。
【００４０】
まず、ケース１として、蛍光灯安定器５０が正常に動作しており、かつ、照明灯２が正常に動作している場合を考える。この場合、蛍光灯安定器５０から照明灯２に正常な電圧が印加されるので、電圧検知部３１により電圧が検知され、第１の検知結果出力部であるＤ３３に電流が流れてＤ３３が点灯する。又、電流検知部３２により電流が検知され、第２の検知結果出力部であるＤ３４に電流が流れてＤ３４が点灯する。
【００４１】
言い換えれば、Ｄ３３及びＤ３４が何れも点灯していることを視認することにより、特別な解析を行わなくても、蛍光灯安定器５０及び照明灯２が共に正常に動作していることを認識できる。
【００４２】
次に、ケース２として、蛍光灯安定器５０が正常に動作しており、かつ、照明灯２が断線しており正常に動作していない場合を考える。この場合、照明灯２が断線していても蛍光灯安定器５０から照明灯２には正常な電圧が印加されるので、電圧検知部３１により電圧が検知され、第１の検知結果出力部であるＤ３３に電流が流れてＤ３３が点灯する。しかし、Ｌ３２１の１次側コイルには電流が流れないため、電流検知部３２により電流が検知されず、第２の検知結果出力部であるＤ３４には電流が流れないためＤ３４が消灯する。
【００４３】
言い換えれば、Ｄ３３が点灯しＤ３４が消灯していることを視認することにより、特別な解析を行わなくても、蛍光灯安定器５０が正常に動作しており、かつ、照明灯２が断線していることを認識できる。
【００４４】
次に、ケース３として、蛍光灯安定器５０が正常に動作しており、かつ、照明灯２が短絡しており正常に動作していない場合を考える。この場合、照明灯２が短絡しているので、蛍光灯安定器５０から照明灯２に正常な電圧が印加されていても、照明灯２に過電流が流れ、蛍光灯安定器５０からの電圧は０〜数［Ｖ］程度までドロップする。
【００４５】
ここで、蛍光灯安定器５０からの電圧が０〜数［Ｖ］程度までドロップしたときにはＤ３３に電流が流れないようにＲ３１１とＲ３１２の分圧比を適切に設定しておけば、電圧検知部３１により電圧が検知されず、第１の検知結果出力部であるＤ３３が消灯する。一方、Ｌ３２１の１次側コイルには短絡電流（過電流）が流れるため、電流検知部３２により電流が検知され、第２の検知結果出力部であるＤ３４に電流が流れてＤ３４が点灯する。
【００４６】
言い換えれば、Ｄ３３が消灯しＤ３４が点灯していることを視認することにより、特別な解析を行わなくても、蛍光灯安定器５０が正常に動作しており、かつ、照明灯２が短絡していることを認識できる。
【００４７】
次に、ケース４として、蛍光灯安定器５０の異常により、蛍光灯安定器５０から照明灯２に電圧が印加されていない場合を考える。この場合、電圧検知部３１により電圧が検知されず、第１の検知結果出力部であるＤ３３には電流が流れないためＤ３３が消灯する。又、電流検知部３２により電流が検知されず、第２の検知結果出力部であるＤ３４には電流が流れないためＤ３４が消灯する。
【００４８】
言い換えれば、Ｄ３３及びＤ３４が何れも消灯していることを視認することにより、特別な解析を行わなくても、蛍光灯安定器５０が正常に動作していないことを認識できる。なお、この場合、照明灯２が正常か否かは判断できない。以上のケース１〜ケース４の認識結果等を表１にまとめた。
【００４９】
【表１】
2017033674.tif 000003
このように、電圧検知部３１、電流検知部３２、第１の検知結果出力部であるＤ３３、第２の検知結果出力部であるＤ３４を有する電流電圧検出回路３０を照明灯２に設ける。これにより、Ｄ３３及びＤ３４の点灯／消灯の組み合わせを視認することにより、特別な解析を行わなくても、蛍光灯安定器５０や照明灯２の正常／異常を認識できる。すなわち、照明灯２の使用者が、容易に故障箇所（故障したのが蛍光灯安定器５０か照明灯２か）を認識できるようになる。
【００５０】
特に、照明灯２の短絡のような、蛍光灯安定器５０の出力部に電圧が発生しない場合（ドロップする場合）でも照明灯２に流れる電流の確認ができるため、過電流故障も漏れなく検知できる。その結果、従来のように、故障している照明灯を正常な灯具に装着して動作確認した際に、蛍光灯安定器に過負荷のダメージを与え２次被害に至るケースをなくすことができる。
【００５１】
〈第２の実施の形態〉
第２の実施の形態では、検知結果出力部として、発光素子に代えて発音体を用いる例を示す。なお、第２の実施の形態において、既に説明した実施の形態と同一構成部についての説明は省略する場合がある。
【００５２】
図５は、第２の実施の形態に係る電流電圧検出回路を例示する図である。図５を参照するに、電流電圧検出回路３０Ａは、第１の検知結果出力部がＤ３３からＢ３７（ブザー等の発音体）に置換され、第２の検知結果出力部がＤ３４からＢ３８（ブザー等の発音体）に置換された点が、電流電圧検出回路３０（図４参照）と相違する。
【００５３】
つまり、電流電圧検出回路３０Ａでは、電流電圧検出回路３０でＤ３３が点灯していたケースではＢ３７が音を発し、電流電圧検出回路３０でＤ３４が点灯していたケースではＢ３８が音を発する。Ｂ３７とＢ３８とを適度に離間して配置することにより、何れか一方が鳴っているか、両方が鳴っているかを容易に聴取できる。
【００５４】
これにより、Ｂ３７及びＢ３８からの音の有無の組み合わせを聴取することにより、特別な解析を行わなくても、蛍光灯安定器５０や照明灯２の正常／異常を認識できる。すなわち、照明灯２の使用者が、容易に故障箇所（故障したのが蛍光灯安定器５０か照明灯２か）を認識できるようになる。
【００５５】
又、第１の実施の形態と同様に、照明灯２の短絡のような、蛍光灯安定器５０の出力部に電圧が発生しない場合（ドロップする場合）でも照明灯２に流れる電流の確認ができるため、過電流故障も漏れなく検知できる。その結果、従来のように、故障している照明灯を正常な灯具に装着して動作確認した際に、蛍光灯安定器に過負荷のダメージを与え２次被害に至るケースをなくすことができる。
【００５６】
なお、第１の検知結果出力部及び第２の検知結果出力部は、検出結果を発光ダイオード等の発光素子を用いて光で出力してもよいし、ブザー等の発音体を用いて音で出力してもよいし、その他であってもよい。その他としては、検知結果を無線で照明灯２の外部に出力する方法を挙げることができる。この場合には、検知結果を外部で受信してランプを点灯させたり、音を鳴らしたり、ディスプレーに故障情報を表示したりすることができる。
【００５７】
又、第１の検知結果出力部及び第２の検知結果出力部は、夫々異なる方式であってもよい。例えば、第１の検知結果出力部が検出結果を発光ダイオード等の発光素子を用いて光で出力し、第２の検知結果出力部がブザー等の発音体を用いて音で出力してもよい。
【００５８】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５９】
例えば、上記実施の形態では、照明灯の例として、蛍光灯グロー安定器、蛍光灯ラピッド安定器、蛍光灯インバータ安定器、及び商用交流電源の何れの電力供給部とも接続できるものを示した。しかし、本発明は、何れか１つの電力供給部に接続可能な入力部を備えた照明灯に適用できる。
【符号の説明】
【００６０】
１  照明装置
２  照明灯
５  灯具
２０  透光部
２１、２２  口金
２４、２５  整流回路
２７  ＬＥＤモジュール
３０、３０Ａ  電流電圧検出回路
３１  電圧検知部
３２  電流検知部
４１  正側配線
４２  負側配線
５０  蛍光灯安定器
５１、５２  ソケット
２１１、２１２、２２１、２２２、５１１、５１２、５２１、５２２  端子
２７１  発光ダイオード
４１０  フレーム
４２０  ＬＥＤ基板
４３０  ホルダ
４４０  ＤＲＶ基板
Ｂ３７、Ｂ３８  発音体
Ｄ３３、Ｄ３４  発光素子
Ｃ３１１  コンデンサ
Ｄ３１１、Ｄ３２１  ダイオード
Ｌ３２１  コイル
Ｒ３１１、３１２、３１３、３２１  抵抗
【先行技術文献】
【特許文献】
【００６１】
【特許文献１】特開２０１０−１３５２５７号公報
【図１】
2017033674.tif 000004
【図２】
2017033674.tif 000005
【図３】
2017033674.tif 000006
【図４】
2017033674.tif 000007
【図５】
2017033674.tif 000008